(57)【要約】  【課題】表示装置の駆動信号生成に用いる高電圧の電源を不要にし、回路規模の増大を抑えることができる表示装置駆動回路を提供する。  【解決手段】映像信号Ｓ２Ａに応じてインピーダンス回路３０８のインピーダンスが変化すると、これに応じて表示部４０の電源電圧ラインからインピーダンス回路３０８へ流れる電流が変化し、映像信号Ｓ２Ａに応じた電流の信号成分が生じる。そして、カレントミラー回路４０１および抵抗４０２において、この電流の信号成分に応じた電圧の信号成分を有する駆動信号Ｓ３Ａが生成され、図示しない表示装置に供給される。したがって、アナログ信号処理部３０の電源電圧より高電圧の電源を別に設けることなく、この電源電圧より電圧振幅が大きい表示装置の駆動信号を生成することが可能になる。【選択図】      図２
2005234020.tif 000002
【特許請求の範囲】
【請求項１】
所定の電源電圧より電圧振幅が小さい映像信号を入力し、該映像信号に基づいて、該所定の電源電圧より電圧振幅が大きい表示装置の駆動信号を生成する表示装置駆動回路であって、
上記映像信号に応じてインピーダンスが変化するインピーダンス回路と、
上記表示装置の電源電圧ラインから上記インピーダンス回路へ流れる電流の信号成分に応じた電圧の信号成分を有する上記駆動信号を生成する電流電圧変換回路と、
を有する表示装置駆動回路。
【請求項２】
上記インピーダンス回路は、上記表示装置から離間して配置されており、上記電流の信号成分が流れる配線を介して上記表示装置と接続される、
請求項１に記載の表示装置駆動回路。
【請求項３】
上記電流電圧変換回路は、上記電源電圧ラインから上記インピーダンス回路へ流れる電流の信号成分に応じた、上記所定の電源電圧より振幅の小さい電圧信号成分を有する帰還信号を生成し、
上記インピーダンス回路は、上記帰還信号と上記映像信号との電圧差に応じてインピーダンスを変化させる、
請求項２に記載の表示装置駆動回路。
【請求項４】
上記電流電圧変換回路は、上記電源電圧ラインから上記インピーダンス回路へ流れる電流の信号成分に応じた、上記所定の電源電圧より振幅の小さい電圧信号成分を有する帰還信号を生成し、
上記映像信号が基準の電圧を有する所定の期間において、上記帰還信号と所定の基準電圧との電圧差に応じて上記映像信号の電圧を調節する電圧調節回路を有する、
請求項２に記載の表示装置駆動回路。
【請求項５】
上記電流電圧変換回路は、
上記表示装置の電源電圧ラインから上記インピーダンス回路に流れる電流に応じた電流を出力するカレントミラー回路と、
上記カレントミラー回路から出力される電流を受けて上記駆動信号を発生する少なくとも１つの抵抗と、を含む、
請求項２に記載の表示装置駆動回路。
【請求項６】
上記電流電圧変換回路は、
上記表示装置の電源電圧ラインから上記インピーダンス回路に流れる電流に応じた電流を出力するカレントミラー回路と、
上記カレントミラー回路から出力される電流を受けて上記駆動信号および上記帰還信号を発生する抵抗の直列回路と、を含む、
請求項３に記載の表示装置駆動回路。
【請求項７】
上記電流電圧変換回路は、
上記表示装置の電源電圧ラインから上記インピーダンス回路に流れる電流に応じた電流を出力するカレントミラー回路と、
上記カレントミラー回路から出力される電流を受けて上記駆動信号および上記帰還信号を発生する抵抗の直列回路と、を含む、
請求項４に記載の表示装置駆動回路。
【発明の詳細な説明】
【技術分野】
【０００１】
本発明は、液晶ディスプレイやＥＬ（electro luminescence）ディスプレイ、プラズマディスプレイ、ブラウン管ディスプレイなどの表示装置を駆動する表示装置駆動回路に関するものである。
【背景技術】
【０００２】
ＣＣＤ（charge coupled device）等の撮像素子を用いて画像を撮影するデジタルカメラ等の装置には、通常、撮影した画像をユーザが確認できるように液晶ディスプレイ等の表示装置が設けられている。一般に、このような装置において撮像素子から出力される撮像画像信号は、ＤＳＰ（digital signal processor）等の信号処理装置によって所定のフォーマットの映像信号に変換された後、表示装置に供給される。
【０００３】
ただし、近年では、機器の低消費電力化を実現するためにデジタル回路の電源電圧が低下しており、その電圧は例えば２．５Ｖ程度である。一方、液晶ディスプレイ等の交流駆動を行う表示装置において要求される映像信号の振幅は８Ｖｐｐ程度である。そのため、信号処理装置から出力される映像信号では、表示装置を直接駆動することができない。このような事情から、通常は、信号処理装置から出力される映像信号の振幅を表示装置において要求される振幅に変換する駆動回路が必要になる。
【０００４】
この表示装置駆動回路は、前段の信号処理装置の電源電圧よりも大きな振幅の信号を出力するため、一般には、これより高い電圧を発生する電源装置が信号処理装置用の電源装置とは別に設けられている。
【０００５】
一方、特許文献１には、表示装置へ映像信号を供給する信号ドライバ回路の映像信号増幅率Ｓを１より大きく設定する表示駆動装置が記載されている。信号ドライバ回路の映像信号増幅率Ｓを１より大きくすると、その前段のアナログ回路において生成される映像信号の振幅は、映像信号増幅率Ｓが１の場合の振幅に対して（１／Ｓ）倍にすることができる。したがって、該アナログ回路に供給する電源電圧についても、映像信号増幅率Ｓが１の場合の電源電圧に対して（１／Ｓ）倍にすることができる。
【特許文献１】特開２０００−８９７３５号公報
【発明の開示】
【発明が解決しようとする課題】
【０００６】
このように、従来の表示装置駆動回路は、一般に信号処理装置より高電圧の電源装置を別途設けているため、回路規模や消費電力が増大するという不利益がある。
【０００７】
また、特許文献１に記載の装置では、アナログ回路において生成する映像信号の電圧振幅を単に（１／Ｓ）倍にして信号ドライバ回路に伝送するため、その伝送経路上で映像信号に混入するノイズの振幅が映像信号の振幅に対して増大し、ノイズの影響を受け易くなるという不利益がある。
【０００８】
本発明はかかる事情に鑑みてなされたものであり、その第１の目的は、回路規模の増大を抑えることができる表示装置駆動回路を提供することにある。また、第２の目的は、外来ノイズの影響を受け難くすることができる表示装置駆動回路を提供することにある。
【課題を解決するための手段】
【０００９】
本発明は、所定の電源電圧より電圧振幅が小さい映像信号を入力し、該映像信号に基づいて、該所定の電源電圧より電圧振幅が大きい表示装置の駆動信号を生成する表示装置駆動回路であって、上記映像信号に応じてインピーダンスが変化するインピーダンス回路と、上記表示装置の電源電圧ラインから上記インピーダンス回路へ流れる電流の信号成分に応じた電圧の信号成分を有する上記駆動信号を生成する電流電圧変換回路とを有する。
【００１０】
本発明によれば、上記映像信号に応じて上記インピーダンス回路のインピーダンスが変化すると、これに応じて、上記表示装置の電源電圧ラインから上記インピーダンス回路へ流れる電流が変化し、上記映像信号に応じた電流の信号成分が生じる。そして、上記電流電圧変換回路において、この電流の信号成分に応じた電圧の信号成分を有する上記駆動信号が生成される。
したがって、上記所定の電源電圧より高電圧の電源を別に設けることなく、上記表示装置の電源を利用してその駆動信号を生成することが可能になり、回路規模の増大が抑えられる。
【００１１】
また、上記インピーダンス回路を上記表示装置から離間して配置し、上記電流の信号成分が流れる配線を介して、上記インピーダンス回路と上記表示装置とを接続しても良い。
これにより、上記映像信号は、電流の信号として上記インピーダンス回路から上記表示装置へ伝送されるため、映像信号の電圧振幅を単に小さくして伝送する手法に比べて、ノイズの影響を受け難くなる。
【００１２】
また、上記電流電圧変換回路は、上記電源電圧ラインから上記インピーダンス回路へ流れる電流の信号成分に応じた、上記所定の電源電圧より振幅の小さい電圧信号成分を有する帰還信号を生成し、上記インピーダンス回路は、上記帰還信号と上記映像信号との電圧差に応じてインピーダンスを変化させても良い。
これにより、上記駆動信号と上記帰還信号との電圧振幅比に応じて上記映像信号と上記駆動信号との電圧振幅比を高い精度で帰還制御することが可能になる。
【００１３】
また、上記映像信号が基準の電圧を有する所定の期間において、上記帰還信号と所定の基準電圧との電圧差に応じて上記映像信号の電圧を調節する電圧調節回路を有しても良い。
これにより、上記映像信号の基準の電圧レベルに対応する上記駆動信号の基準の電圧レベルが、上記所定の基準電圧に応じた電圧となるように調節される。
【発明の効果】
【００１４】
本発明によれば、第１に、映像信号の生成に用いられる電源とは別に高電圧の電源を設ける必要がなくなり、回路規模の増大を抑えることができる。また、第２に、映像信号の電圧振幅を単に小さくして伝送する手法に比べてノイズの影響を受け難くすることができる。
【発明を実施するための最良の形態】
【００１５】
以下、本発明をデジタルカメラ等の撮影装置に適用した実施形態について、図面を参照しながら説明する。
【００１６】
＜第１の実施形態＞
図１は、本発明の実施形態に係る撮影装置の構成の一例を図解したブロック図である。
図１に例示する撮影装置は、撮影部１０と、デジタル信号処理部２０と、アナログ信号処理部３０と、表示部４０とを有する。
【００１７】
撮影部１０は、ＣＣＤやＣＭＯＳセンサ等の撮像素子を含んでおり、所望の被写体の像を撮影して、その撮影画像に応じた３色（ＲＧＢ）の画像信号Ｓ１＿Ｒ，Ｓ１＿Ｇ，Ｓ１＿Ｂを生成する。
【００１８】
デジタル信号処理部２０は、撮影部１０より入力した画像信号Ｓ１＿Ｒ，Ｓ１＿Ｇ，Ｓ１＿Ｂにフィルタ処理や画素数変換等の所定の画像処理を施し、所定のフォーマットを有する３色の映像信号Ｓ２＿Ｒ，Ｓ２＿Ｇ，Ｓ２＿Ｂを生成する。
デジタル信号処理部２０は、例えば図１に示すように、入力の画像信号Ｓ１＿Ｒ，Ｓ１＿Ｇ，Ｓ１＿Ｂをアナログ−デジタル変換器２１，２２，２３においてデジタル信号に変換し、これにＤＳＰ２４で所定のデジタル信号処理を施した後、デジタル−アナログ変換器２５，２６，２７においてアナログ信号に変換して、映像信号Ｓ２＿Ｒ，Ｓ２＿Ｇ，Ｓ２＿Ｂを生成する。
【００１９】
アナログ信号処理部３０は、デジタル信号処理部２０より入力した映像信号Ｓ２＿Ｒ，Ｓ２＿Ｇ，Ｓ２＿Ｂにコントラスト調整や電圧クランプ等のアナログ信号処理を施し、電流の振幅を有する映像信号Ｓ３＿Ｒ，Ｓ３＿Ｇ，Ｓ３＿Ｂを生成する。
【００２０】
表示部４０は、液晶ディスプレイやＥＬディスプレイ、プラズマディスプレイ、ブラウン管ディスプレイなどの表示装置を含んでおり、アナログ信号処理部３０より入力した電流の映像信号Ｓ３＿Ｒ，Ｓ３＿Ｇ，Ｓ３＿Ｂを表示装置の駆動に必要な電圧振幅の信号に変換して表示装置に供給し、画像を表示させる。
ただし、この表示装置の駆動に必要な電圧振幅は、上述したアナログ信号処理部３０の電源電圧より高い。
【００２１】
図２（Ａ）は、本発明の第１の実施形態に係るアナログ信号処理部３０および表示部４０の構成の一例を示すブロック図である。
【００２２】
図２（Ａ）のブロック図は、ＲＧＢ中の１色分の映像信号の処理ブロックを示すものであり、アナログ信号処理部３０および表示部４０は、この処理ブロックをＲＧＢの３色のそれぞれについて有する。
また、図２（Ａ）における記号'Ｓ２'は、図１における映像信号Ｓ２＿Ｒ，Ｓ２＿Ｇ，Ｓ２Ｂの１つを示し、図２（Ａ）における記号'Ｓ３'は、図１における映像信号Ｓ３＿Ｒ，Ｓ３＿Ｇ，Ｓ３＿Ｂの１つを示す。
【００２３】
図２（Ａ）の例において、アナログ信号処理部３０は、アナログ信号処理回路３０１と、反転バッファ回路３０２と、非反転バッファ回路３０３および３０５と、スイッチ回路３０４と、クランプ回路３０６および３０７と、インピーダンス回路３０８とを有する。表示部４０は、カレントミラー回路４０１と、抵抗４０２とを有する。
インピーダンス回路３０８は、本発明のインピーダンス回路の一実施形態である。
クランプ回路３０６および３０７を含む回路は、本発明の電圧調節回路の一実施形態である。
カレントミラー回路４０１および抵抗４０２を含む回路は、本発明の電流電圧変換回路の一実施形態である。
カレントミラー回路４０１は、本発明のカレントミラー回路の一実施形態である。
抵抗４０２は、本発明の抵抗の一実施形態である。
【００２４】
アナログ信号処理回路３０１は、デジタル信号処理回路２０より入力した映像信号Ｓ２にコントラスト調整やガンマ調整、ブライトネス調整などのアナログ信号処理を施す。
【００２５】
反転バッファ回路３０２は、アナログ信号処理回路３０１より入力した映像信号の正負を反転して出力する。
非反転バッファ回路３０２は、アナログ信号処理回路３０１より入力した映像信号を非反転で出力する。
【００２６】
スイッチ回路３０４は、図示しない制御回路より供給される交流駆動制御信号ＳＷ１に応じて、反転バッファ回路３０２および非反転バッファ回路３０２より入力した映像信号の何れか一方を選択し出力する。すなわち、交流駆動制御信号ＳＷ１がローレベルの期間に非反転バッファ回路３０３の非反転の映像信号を出力し、交流駆動制御信号ＳＷ１がハイレベルの期間に反転バッファ回路３０２の反転の映像信号を出力する。
【００２７】
非反転バッファ回路３０５は、スイッチ回路３０４より入力した映像信号を非反転で出力する。
【００２８】
クランプ回路３０６は、図示しない制御回路より供給されるクランプパルス信号ＣＰ１がハイレベルの場合、非反転バッファ回路３０５の出力映像信号Ｓ２Ａと基準電圧ＶＡとの電圧差が小さくなるように、非反転バッファ回路３０５の入力映像信号の電圧を調節する。
クランプ回路３０７は、図示しない制御回路より供給されるクランプパルス信号ＣＰ２がハイレベルの場合、非反転バッファ回路３０５の出力映像信号Ｓ２Ａと基準電圧ＶＢとの電圧差が小さくなるように、非反転バッファ回路３０５の入力映像信号の電圧を調節する。
【００２９】
例えば、非反転バッファ回路３０５の入力端子とグランド線Ｇとの間に図示しないキャパシタが接続されており、クランプ回路３０６および３０７は、このキャパシタをクランプパルス信号ＣＰ１およびＣＰ２に同期して充放電することにより、映像信号の直流的な電圧成分を調節する。
【００３０】
インピーダンス回路３０８は、映像信号Ｓ３の出力端子とグランド線Ｇとの間に接続されており、非反転バッファ回路３０５より入力される映像信号Ｓ２Ａに応じて、そのインピーダンスを変化させる。映像信号Ｓ３の電流Ｉは、インピーダンス回路３０８のインピーダンスに応じて変化する。
【００３１】
図３は、インピーダンス回路３０８の構成の一例を示す図である。
図３の例において、インピーダンス回路３０８は、差動増幅器ＡＭＰ１と、トランジスタＱ１と、抵抗Ｒ１とを有する。
トランジスタＱ１と抵抗Ｒ１とが直列に接続されており、その直列回路が、映像信号Ｓ３の出力端子とグランド線Ｇとの間に接続されている。
差動増幅器ＡＭＰ１は、抵抗Ｒ１に発生する電圧と映像信号Ｓ２Ａとの差に応じて、トランジスタＱ１のベース電流を制御する。
【００３２】
図３に示すインピーダンス回路によれば、抵抗Ｒ１に発生する電圧と映像信号Ｓ２Ａとの差に応じてトランジスタＱ１のベース電流が制御され、これに応じてトランジスタＱ１のインピーダンスが変化し、映像信号Ｓ３の電流Ｉが変化する。差動増幅器ＡＭＰ１のゲインが充分大きいものとすると、映像信号Ｓ３の電流値は、概ね（映像信号Ｓ２Ａの電圧値）÷（抵抗Ｒ１の抵抗値）になる。
【００３３】
カレントミラー回路４０１は、表示部４０の電源電圧ラインから映像信号Ｓ３の出力端子を経てインピーダンス回路３０８に流れる電流Ｉに応じた電流を出力する。
抵抗４０２は、カレントミラー回路４０１の電流出力端子とグランド線Ｇとの間に接続されており、その出力電流に応じた電圧を発生する。
抵抗４０２において発生する電圧は、表示部４０に含まれる図示しない表示装置に駆動信号Ｓ３Ａとして供給される。
【００３４】
図４は、アナログ信号処理部３０および表示部４０の配置の一例を図解した図である。
【００３５】
図４の例において、アナログ信号処理部３０は、１つのＩＣパッケージに封入されて基板６０に配置される。表示部４０は、この基板６０とは別の基板上に、アナログ信号処理部３０と離間して配置される。
また図４の例において、アナログ信号処理部３０と表示部４０とは配線５０を介して接続される。配線５０は、例えば、フレキシブル基板やリボンケーブル等の可撓性を有する配線である。カレントミラー回路４０１からインピーダンス回路３０８へ流れる電流は、この配線５０に流れる。
【００３６】
ここで、上述した構成を有する撮影装置の動作について、図２（Ｂ）〜（Ｇ）に示す波形図を参照して説明する。
【００３７】
撮像部１０において被写体の画像が撮影され、その画像信号Ｓ１＿Ｒ，Ｓ１＿Ｇ，Ｓ１＿Ｂが生成されると、この画像信号はデジタル信号処理部２０において所定のデジタル信号処理を施され、アナログの映像信号Ｓ２（Ｓ２＿Ｒ，Ｓ２＿Ｇ，Ｓ２＿Ｂ）に変換される。
【００３８】
この映像信号Ｓ２（図２（Ｂ））は、アナログ信号処理回路３０１においてコントラスト調整やガンマ調整、ブライトネス調整などのアナログ信号処理を施され、バッファ回路３０２および３０３において反転および非反転の２つの信号に変換される。
【００３９】
交流駆動制御信号ＳＷ１は、例えば図２（Ｃ）に示すように、映像信号の１水平周期ごとにハイレベルとローレベルとを交互に繰り返す信号である。そのため、スイッチ回路３０４から出力される映像信号は、映像信号の１水平期間ごとに反転と非反転とを交互に繰り返す信号となる。
【００４０】
一方、クランプパルス信号ＣＰ１は、例えば図２（Ｄ）に示すように、交流駆動制御信号ＳＷ１（図２（Ｃ））がローレベルになる１水平期間のうち、映像信号Ｓ２が黒レベルの基準電圧を有する期間にハイレベルになる信号である。
この期間においてクランプ回路３０６がクランプ動作を実行することにより、非反転バッファ回路３０５の出力映像信号Ｓ２Ａと基準電圧ＶＡとが等しくなるように、非反転バッファ回路３０５の入力映像信号の電圧が調節される。
【００４１】
また、クランプパルス信号ＣＰ２は、例えば図２（Ｅ）に示すように、交流駆動制御信号ＳＷ１（図２（Ｃ））がハイレベルになる１水平期間のうち、映像信号Ｓ２が黒レベルの基準電圧を有する期間にハイレベルになる信号である。
この期間においてクランプ回路３０７がクランプ動作を実行することにより、非反転バッファ回路３０５の出力映像信号Ｓ２Ａと基準電圧ＶＢとが等しくなるように、非反転バッファ回路３０５の入力映像信号の電圧が調節される。
【００４２】
したがって、非反転バッファ回路３０５より出力される映像信号Ｓ２Ａは、図２（Ｆ）に示すように、１水平期間ごとに反転と非反転とを交互に繰り返す信号となり、その黒レベルの電圧が、非反転時に基準電圧ＶＡ、反転時に基準電圧ＶＢとほぼ等しくなるように調節される。
【００４３】
この映像信号Ｓ２Ａに応じて、インピーダンス回路３０８のインピーダンスが変化すると、これに応じて、カレントミラー回路４０１に流れる電流も変化する。すなわち、映像信号Ｓ２Ａに応じた電流信号が配線５０を介してカレントミラー回路４０１の電流入力端子に流れる。
この入力電流に応じた出力電流がカレントミラー回路４０１において生成され、抵抗４０２に供給されて、駆動信号Ｓ３Ａ（図２（Ｇ））が発生する。
抵抗４０２に発生する駆動信号Ｓ３Ａは、表示部４０の図示しない表示装置に供給され、これに応じた画像が表示装置において表示される。
【００４４】
ここで、インピーダンス回路３０８における電圧−電流変換ゲインをＧｍａ、カレントミラー回路４０１における入出力電流比（出力電流÷入力電流）をＭａ、抵抗４０２の抵抗値をＲａとすると、映像信号Ｓ２Ａと映像信号Ｓ３Ａとの電圧振幅比Ｇｖａ（映像信号Ｓ３Ａの振幅÷映像信号Ｓ２Ａの振幅）は概ね次式のように表される。
【００４５】
［数１］
Ｇｖａ＝Ｇｍａ×Ｍａ×Ｒａ  …  （１）
【００４６】
以上説明したように、本実施形態によれば、映像信号Ｓ２Ａに応じてインピーダンス回路３０８のインピーダンスが変化すると、これに応じて、表示部４０の電源電圧ラインからインピーダンス回路３０８へ流れる電流が変化し、映像信号Ｓ２Ａに応じた電流の信号成分が生じる。そして、カレントミラー回路４０１および抵抗４０２において、この電流の信号成分に応じた電圧の信号成分を有する駆動信号Ｓ３Ａが生成され、図示しない表示装置に供給される。
したがって、アナログ信号処理部３０の電源電圧より高電圧の電源を別に設けることなく、この電源電圧より電圧振幅が大きい表示装置の駆動信号を生成することが可能になる。すなわち、式（１）に示すように、インピーダンス回路３０８の電圧−電流変換ゲインＧｍａや、カレントミラー回路４０１の入出力電流比Ｍａ、抵抗４０２の抵抗値Ｒａを適切に設定することにより、表示部４０において表示装置の駆動に必要な電圧振幅を持つ駆動信号Ｓ３Ａを得ることができる。したがって、駆動信号の生成用に特別な電源を設けずに済むため、回路規模の増大を抑えることができる。
【００４７】
また、図４に示すように、アナログ信号処理部３０が表示部４０から離間して配置されており、インピーダンス回路３０８の電流Ｉが流れる配線５０を介して両者が接続されている。
すなわち、映像信号は、電圧の信号から一旦電流の信号に変換された上で、アナログ信号処理部３０から表示部４０に伝送される。したがって、例えば特許文献１の装置のように、映像信号の電圧振幅を単に小さくして伝送する手法に比べて、ノイズ成分に対する信号成分の比を落とさずに済むため、ノイズの影響を受け難くすることができる。
【００４８】
ところで、上述したアナログ信号処理部３０および表示部４０においては交流駆動型の表示装置（液晶ディスプレイ等）が駆動されるが、例えば有機ＥＬディスプレイのように直流駆動型の表示装置を駆動する場合は、これらの代わりとして、例えば図５（Ａ）に示すアナログ信号処理部３１および表示部４１を設けても良い。
【００４９】
図５（Ａ）に例示するアナログ信号処理部３１は、アナログ信号処理回路３０１と、非反転バッファ回路３０３および３０５と、クランプ回路３０９と、インピーダンス回路３１０とを有する。表示部４１は、カレントミラー回路４０３と、抵抗４０４とを有する。ただし、図２と図５の同一符号（３０１、３０３、３０５）は同一の構成要素を示す。
インピーダンス回路３１０は、本発明のインピーダンス回路の一実施形態である。
クランプ回路３０９は、本発明の電圧調節回路の一実施形態である。
カレントミラー回路４０３および抵抗４０４を含む回路は、本発明の電流電圧変換回路の一実施形態である。
【００５０】
このアナログ信号処理部３１においては、上述したアナログ信号処理部３０と異なり、アナログ信号処理回路３０１の出力信号が非反転バッファ回路３０２を介して、非反転バッファ回路３０５に直接入力される。
【００５１】
クランプ回路３０９は、図示しない制御回路より供給されるクランプパルス信号ＣＰ３がハイレベルの場合、非反転バッファ回路３０５の出力映像信号Ｓ２Ｂと基準電圧ＶＣとの電圧差が小さくなるように非反転バッファ回路３０５の入力映像信号の電圧を調節する。
【００５２】
インピーダンス回路３１０は、映像信号Ｓ３の出力端子とグランド線Ｇとの間に接続されており、非反転バッファ回路３０５より入力される映像信号Ｓ２Ｂに応じて、そのインピーダンスを変化させる。映像信号Ｓ３の電流Ｉは、インピーダンス回路３０８のインピーダンスに応じて変化する。
インピーダンス回路３１０は、例えば図３に示すインピーダンス回路３０８と同様な構成を有する。
【００５３】
カレントミラー回路４０３は、表示部４１の電源電圧ラインから映像信号Ｓ３の出力端子を経てインピーダンス回路３１０に流れる電流Ｉに応じた電流を出力する。
抵抗４０４は、カレントミラー回路４０３の電流出力端子とグランド線Ｇとの間に接続されており、その出力電流に応じた電圧を発生する。
抵抗４０４において発生する電圧は、表示部４１に含まれる図示しない表示装置に駆動信号Ｓ３Ｂとして供給される。
【００５４】
上述した構成によると、デジタル信号処理部２０より出力される映像信号Ｓ２（図５（Ｂ））は、アナログ信号処理回路３０１において所定のアナログ信号処理を施された後、非反転バッファ回路３０３を介して非反転バッファ回路３０５に入力される。
【００５５】
クランプパルス信号ＣＰ３は、例えば図５（Ｃ）に示すように、各水平期間において映像信号Ｓ２が黒レベルの基準電圧を有する期間にハイレベルになる信号である。
この期間において、クランプ回路３０９がクランプ動作を実行することにより、非反転バッファ回路３０５の出力映像信号Ｓ３Ｂと基準電圧ＶＣとが等しくなるように、非反転バッファ回路３０５の入力映像信号の電圧が調節される。
したがって、非反転バッファ回路３０５より出力される映像信号Ｓ２Ｂは、図５（Ｄ）に示すように、入力の映像信号Ｓ２に対して非反転の信号となり、その黒レベルの電圧が基準電圧ＶＣとほぼ等しくなるように調節される。
【００５６】
この映像信号Ｓ２Ｂに応じて、インピーダンス回路３１０のインピーダンスが変化すると、これに応じて、カレントミラー回路４０３からグランド線Ｇに流れる電流Ｉ３も変化する。すなわち、映像信号Ｓ２Ｂに応じた電流信号がカレントミラー回路４０３の電流入力端子に流れる。
この入力電流に応じた出力電流がカレントミラー回路４０３において生成され、抵抗４０４に供給されて、駆動信号Ｓ３Ｂ（図５（Ｅ））が発生する。
抵抗４０４に発生する駆動信号Ｓ３Ｂは、表示部４１の図示しない表示装置に供給され、これに応じた画像が表示装置において表示される。
【００５７】
ここで、インピーダンス回路３１０における電圧−電流変換ゲインをＧｍｂ、カレントミラー回路４０３における入力出力電流比をＭｂ、抵抗４０４の抵抗値をＲｂとすると、映像信号Ｓ２Ｂの電圧振幅に対する映像信号Ｓ３Ｂの電圧振幅の比Ｇｖｂは概ね次式のように表される。
【００５８】
［数２］
Ｇｖｂ＝Ｇｍｂ×Ｍｂ×Ｒｂ  …  （２）
【００５９】
したがって、直流駆動型の表示装置を駆動する場合においても、アナログ信号処理部３１の電源電圧より高電圧の電源を別に設けることなく、この電源電圧より電圧振幅が大きい表示装置の駆動信号を生成することが可能になり、回路規模の増大を抑えることができる。
また、例えば図４と同様に、アナログ信号処理部３１と表示部４１とを離間して配置し、その間においてインピーダンス回路３１０の電流信号を伝送しても良い。これにより、映像信号の電圧振幅を単に小さくして伝送する手法に比べてノイズの影響を受け難くすることができる。
【００６０】
＜第２の実施形態＞
次に、本発明の第２の実施形態について述べる。
第２の実施形態においては、表示装置へ供給する駆動信号に対応した帰還信号を用いて、映像信号と駆動信号との電圧振幅比が帰還制御される。
【００６１】
図６（Ａ）は、本発明の第２の実施形態に係るアナログ信号処理部３２および表示部４２の構成の一例を示すブロック図であり、図６（Ｂ）〜（Ｇ）はその各部の信号波形図である。
【００６２】
図６（Ａ）の例において、アナログ信号処理部３２は、アナログ信号処理回路３０１と、反転バッファ回路３０２と、非反転バッファ回路３０３および３０５と、スイッチ回路３０４と、クランプ回路３０６および３０７と、インピーダンス回路３１１と、抵抗３１２および３１３の直列回路とを有する。表示部４２は、カレントミラー回路４０５を有する。ただし、図２と図６の同一符号（３０１〜３０７）は、同一の構成要素を示す。
インピーダンス回路３１１は、本発明のインピーダンス回路の一実施形態である。
カレントミラー回路４０５ならびに抵抗３１２および３１３の直列回路を含む回路は、本発明の電流電圧変換回路の一実施形態である。
カレントミラー回路４０５は、本発明のカレントミラー回路の一実施形態である。
抵抗３１２および３１３の直列回路は、本発明の抵抗の直列回路の一実施形態である。
【００６３】
インピーダンス回路３１１は、映像信号Ｓ３の出力端子とグランド線Ｇとの間に接続されており、抵抗３１２および３１３の直列回路において発生する帰還信号と非反転バッファ回路３０５の出力映像信号Ｓ２Ａとの電圧差に応じて、そのインピーダンスを変化させる。映像信号Ｓ３の電流Ｉは、インピーダンス回路３１１のインピーダンスに応じて変化する。
【００６４】
図７は、インピーダンス回路３１１の構成の一例を示す図である。
図７の例において、インピーダンス回路３１１は、差動増幅器ＡＭＰ２およびトランジスタＱ２を有する。
トランジスタＱ２は、映像信号Ｓ３の出力端子とグランド線Ｇとの間に接続される。
差動増幅器ＡＭＰ２は、抵抗Ｒ３１２およびＲ３１３の接続中点に発生する帰還信号と映像信号Ｓ２Ａとの差に応じて、トランジスタＱ２のベース電流を制御する。
【００６５】
図７に示すインピーダンス回路によれば、抵抗Ｒ３１２と抵抗Ｒ３１３との接続中点に発生する帰還信号と映像信号Ｓ２Ａとの差に応じてトランジスタＱ２のベース電流が制御され、これに応じてトランジスタＱ２のインピーダンスが変化し、映像信号Ｓ３の電流Ｉが変化する。
【００６６】
カレントミラー回路４０５は、表示部４２の電源電圧ラインから映像信号Ｓ３の出力端子を経てインピーダンス回路３１１に流れる電流Ｉに応じた電流を出力する。
【００６７】
抵抗３１２および３１３は、カレントミラー回路４０５の電流出力端子とグランド線Ｇとの間に直列に接続されており、カレントミラー回路４０５の出力電流に応じた電圧を発生する。
抵抗３１２および３１３の直列回路の両端に発生する信号は、表示部４２の図示しない表示装置に駆動信号Ｓ３Ａとして供給される。また、抵抗３１２および３１３の接続中点に発生する駆動信号Ｓ３Ａの分圧信号は、インピーダンス回路３１１に帰還信号として入力される。
ただし、抵抗３１２および３１３の抵抗値の比は、帰還信号の電圧振幅がアナログ信号処理部３２の電源電圧より小さくなるように設定される。
【００６８】
撮影装置のその他の構成（撮像部１０、デジタル信号処理部２０）については、第１の実施形態に係る撮影装置と同様である。
【００６９】
上述した構成を有する撮影装置によると、デジタル信号処理部２０より出力される映像信号Ｓ２は、既に述べたアナログ信号処理部３０と同様な動作によって、１水平期間ごとに反転と非反転とを交互に繰り返す映像信号Ｓ２Ａとなり、非反転バッファ回路３０５から出力される。その黒レベルの電圧は、非反転時に基準電圧ＶＡ、反転時に基準電圧ＶＢとほぼ等しくなるように調節される（図６（Ｆ））。
【００７０】
この映像信号Ｓ２Ａと、抵抗３１２および３１３の直列回路より出力される帰還信号との電圧差に応じて、インピーダンス回路３１１のインピーダンスが変化すると、該インピーダンス変化に応じて、カレントミラー回路４０５の入力電流および出力電流が変化し、該出力電流変化に応じて、抵抗３１２および３１３の直列回路で発生する駆動信号Ｓ３Ａと帰還信号も変化する。
【００７１】
帰還信号の電圧が映像信号Ｓ２Ａの電圧より大きいと、インピーダンス回路３１１のインピーダンスが増大し、その電流が小さくなり、帰還信号の電圧が低下する方向に変化する。逆に、帰還信号の電圧が映像信号Ｓ２Ａの電圧より小さいと、インピーダンス回路３１１のインピーダンスが小さくなり、その電流が増大し、帰還信号の電圧が上昇する方向に変化する。
このような帰還制御の働きにより、インピーダンス回路３１１の電圧−電流変換ゲインが十分大きい場合、帰還信号の電圧は映像信号Ｓ２Ａの電圧とほぼ等しくなる。この場合、抵抗３１２の抵抗値をＲ１、抵抗３１３の抵抗値をＲ２とすると、映像信号Ｓ２Ａと駆動信号Ｓ３Ａとの電圧振幅比Ｇｖｃ（駆動信号Ｓ３Ａの振幅÷映像信号Ｓ２Ａの振幅）は概ね次式のように表される。
【００７２】
［数３］
Ｇｖｃ＝１＋Ｒ１／Ｒ２  …  （３）
【００７３】
したがって、駆動信号Ｓ３Ａの電圧振幅は、抵抗比（Ｒ１／Ｒ２）を適切な値に設定することにより、アナログ信号処理部４２の電源電圧より大きい所定の電圧振幅に設定可能である。
【００７４】
以上説明したように、本実施形態によれば、表示部４２の電源電圧ラインからインピーダンス回路３１１へ流れる電流の信号成分に応じた、アナログ信号処理部３２の電源電圧より振幅の小さい電圧信号成分を有する帰還信号が生成され、インピーダンス回路３１１に入力される。そして、この帰還信号と映像信号Ｓ２Ａとの電圧差に応じて、インピーダンス回路３１１のインピーダンスが変化する。
これにより、駆動信号Ｓ３Ａと帰還信号との電圧振幅比に応じて映像信号Ｓ２Ａと駆動信号Ｓ３Ａとの電圧振幅比を高い精度で帰還制御することが可能になる。
【００７５】
例えば、抵抗Ｒ３１２および３１３を同一の半導体チップ上に形成することにより、その抵抗比は、温度や製造ばらつきによる影響を受け難くくなり、高い精度で所定の値に設定可能になる。したがって、式（３）から、映像信号Ｓ２Ａと駆動信号Ｓ３Ａとの電圧振幅比Ｇｖｃを高い精度で所望の値に設定することが可能になる。
【００７６】
また、アナログ信号処理部３２に駆動信号生成用の高電圧の電源を設ける必要がない点や、アナログ信号処理部３２と表示部４２との間における映像信号の伝送に電流信号を用いる点については、既に述べた第１の実施形態と同様であり、これと同様な効果を奏することが可能である。
【００７７】
ところで、上述したアナログ信号処理部３２および表示部４２においては交流駆動型の表示装置が駆動されるが、直流駆動型の表示装置を駆動する場合は、これらの代わりとして、例えば図８（Ａ）に示すアナログ信号処理部３３および表示部４３を設けても良い。
【００７８】
図８（Ａ）に例示するアナログ信号処理部３３は、アナログ信号処理回路３０１と、非反転バッファ回路３０３および３０５と、クランプ回路３０９と、インピーダンス回路３１４と、抵抗３１５および３１６の直列回路とを有する。表示部４３は、カレントミラー回路４０６を有する。ただし、図５と図８の同一符号（３０１、３０３、３０５、３０９）は同一の構成要素を示す。
インピーダンス回路３１４は、本発明のインピーダンス回路の一実施形態である。
カレントミラー回路４０６ならびに抵抗３１５および３１６の直列回路を含む回路は、本発明の電流電圧変換回路の一実施形態である。
【００７９】
インピーダンス回路３１４は、映像信号Ｓ３の出力端子とグランド線Ｇとの間に接続されており、抵抗３１５および３１６の直列回路において発生する帰還信号と非反転バッファ回路３０５の出力映像信号Ｓ２Ｂとの電圧差に応じて、そのインピーダンスを変化させる。帰還信号Ｓ３の電流Ｉは、インピーダンス回路３１４のインピーダンスに応じて変化する。
インピーダンス回路３１４は、例えば図７に示すインピーダンス回路３１１と同様な構成を有する。
【００８０】
カレントミラー回路４０６は、表示部４３の電源電圧ラインから映像信号Ｓ３の出力端子を経てインピーダンス回路３１４に流れる電流Ｉに応じた電流を出力する。
【００８１】
抵抗３１５および３１６は、カレントミラー回路４０６の電流出力端子とグランド線Ｇとの間に直列に接続されており、カレントミラー回路４０６の出力電流に応じた電圧を発生する。
抵抗３１５および３１６の直列回路の両端に発生する信号は、表示部４３の図示しない表示装置に駆動信号Ｓ３Ｂとして供給される。また、抵抗３１５および３１６の接続中点に発生する駆動信号Ｓ３Ｂの分圧信号は、インピーダンス回路３１４に帰還信号として入力される。
ただし、抵抗３１５および３１６の抵抗値の比は、帰還信号の電圧振幅がアナログ信号処理部３３の電源電圧より小さくなるように設定される。
【００８２】
上述した構成を有する撮影装置によると、既に述べたアナログ信号処理部３１と同様な動作によって、非反転バッファ回路３０５より出力される映像信号Ｓ２Ｂは入力の映像信号Ｓ２に対して非反転の信号となり、その黒レベルの電圧は、基準電圧ＶＣとほぼ等しくなるように調節される（図８（Ｄ））。
【００８３】
この映像信号Ｓ２Ｂと、抵抗３１５および３１６の直列回路より出力される帰還信号との電圧差に応じて、インピーダンス回路３１４のインピーダンスが変化すると、該インピーダンス変化に応じて、カレントミラー回路４０６の入力電流および出力電流が変化し、該出力電流変化に応じて、抵抗３１５および３１６の直列回路で発生する駆動信号Ｓ３Ｂと帰還信号も変化する。
【００８４】
インピーダンス回路３１４の電圧−電流変換ゲインが十分大きいものとすると、帰還制御の働きにより、帰還信号の電圧は映像信号Ｓ２Ｂの電圧とほぼ等しくなる。この場合、抵抗３１５の抵抗値をＲ３、抵抗３１６の抵抗値をＲ４とすると、映像信号Ｓ２Ｂと駆動信号Ｓ３Ｂとの電圧振幅比Ｇｖｄ（駆動信号Ｓ３Ｂの振幅÷映像信号Ｓ２Ｂの振幅）は概ね次式のように表される。
【００８５】
［数４］
Ｇｖｄ＝１＋Ｒ３／Ｒ４  …  （４）
【００８６】
したがって、表示装置が直流駆動型の場合においても、交流駆動型の場合と同様に、駆動信号Ｓ３Ｂと帰還信号との電圧振幅比に応じて映像信号Ｓ２Ｂと駆動信号Ｓ３Ｂとの電圧振幅比を高い精度で帰還制御することが可能になる。
【００８７】
＜第３の実施形態＞
次に、本発明の第３の実施形態について述べる。
第３の実施形態では、表示装置へ供給する駆動信号に対応した帰還信号を用いて、映像信号のクランプ電圧の調節が行われる。
【００８８】
図９（Ａ）は、本発明の第２の実施形態に係るアナログ信号処理部３４および表示部４２の構成の一例を示すブロック図であり、図９（Ｂ）〜（Ｆ）はその各部の信号波形図である。
【００８９】
図９（Ａ）の例において、アナログ信号処理部３４は、アナログ信号処理回路３０１と、反転バッファ回路３０２と、非反転バッファ回路３０３と、スイッチ回路３０４と、クランプ回路３０６および３０７と、インピーダンス回路３１７と、抵抗３１８および３１９の直列回路とを有する。ただし、図２と図６の同一符号（３０１〜３０７、４２）は、同一の構成要素を示す。
インピーダンス回路３１７は、本発明のインピーダンス回路の一実施形態である。
カレントミラー回路４０５ならびに抵抗３１８および３１９の直列回路を含む回路は、本発明の電流電圧変換回路の一実施形態である。
抵抗３１８および３１９の直列回路は、本発明の抵抗の直列回路の一実施形態である。
【００９０】
インピーダンス回路３１７は、映像信号Ｓ３の出力端子とグランド線Ｇとの間に接続されており、スイッチ回路３０４より入力される映像信号Ｓ４Ａに応じてインピーダンスを変化させる。映像信号Ｓ３の電流Ｉは、インピーダンス回路３１７のインピーダンスに応じて変化する。
インピーダンス回路３１７は、例えば図３に示すインピーダンス回路３０８と同様な構成を有する。
【００９１】
クランプ回路３０６は、クランプパルス信号ＣＰ１がハイレベルの場合、抵抗３１８および３１９の直列回路より出力される帰還信号と基準電圧ＶＡとの電圧差が小さくなるように、インピーダンス回路３１７の入力映像信号の電圧を調節する。
クランプ回路３０７は、クランプパルス信号ＣＰ２がハイレベルの場合、抵抗３１８および３１９の直列回路より出力される帰還信号と基準電圧ＶＢとの電圧差が小さくなるように、インピーダンス回路３１７の入力映像信号の電圧を調節する。
【００９２】
カレントミラー回路４０５は、表示部４２の電源電圧ラインから映像信号Ｓ３の出力端子を経てインピーダンス回路３１７に流れる電流Ｉに応じた電流を出力する。
【００９３】
抵抗３１８および３１９は、カレントミラー回路４０５の電流出力端子とグランド線Ｇとの間に直列に接続されており、カレントミラー回路４０５の出力電流に応じた電圧を発生する。
抵抗３１８および３１９の直列回路の両端に発生する信号は、表示部４２の図示しない表示装置に駆動信号Ｓ３Ａとして供給される。また、抵抗３１８および３１９の接続中点に発生する駆動信号Ｓ３Ａの分圧信号は、クランプ回路３０６および３０７に帰還信号として入力される。
ただし、抵抗３１８および３１９の抵抗値の比は、帰還信号の電圧振幅がアナログ信号処理部３４の電源電圧より小さくなるように設定される。
【００９４】
撮影装置のその他の構成（撮像部１０、デジタル信号処理部２０）については、第１の実施形態に係る撮影装置と同様である。
【００９５】
上述した構成を有する本実施形態に係る撮影装置によると、デジタル信号処理部２０より出力される映像信号Ｓ２は、上述したアナログ信号処理回路３０と同様の動作により、映像信号の１水平期間ごとに反転と非反転とを交互に繰り返す信号となって、スイッチ回路３０４より出力される。
【００９６】
スイッチ回路３０４より出力される映像信号Ｓ４Ａに応じて、インピーダンス回路３１７のインピーダンスが変化すると、該インピーダンス変化に応じて、カレントミラー回路４０５の入力電流および出力電流が変化し、該出力電流変化に応じて、抵抗３１８および３１９の直列回路に発生する駆動信号Ｓ３Ａおよび帰還信号も変化する。
【００９７】
一方、クランプパルス信号ＣＰ１は、例えば図９（Ｄ）に示すように、交流駆動制御信号ＳＷ１（図９（Ｃ））がローレベルになる１水平期間のうち、映像信号Ｓ２が黒レベルの基準電圧を有する期間にハイレベルになる信号である。
この期間においてクランプ回路３０６がクランプ動作を実行することにより、上述の帰還信号と基準電圧ＶＡとが等しくなるように、インピーダンス回路３１７の入力映像信号Ｓ４Ａの電圧が調節される。
【００９８】
また、クランプパルス信号ＣＰ２は、例えば図９（Ｅ）に示すように、交流駆動制御信号ＳＷ１（図９（Ｃ））がハイレベルになる１水平期間のうち、映像信号Ｓ２が黒レベルの基準電圧を有する期間にハイレベルになる信号である。
この期間においてクランプ回路３０７がクランプ動作を実行することにより、上述の帰還信号と基準電圧ＶＢとが等しくなるように、インピーダンス回路３１７の入力映像信号Ｓ４Ａの電圧が調節される。
【００９９】
抵抗３１８の抵抗値をＲ５、抵抗３１９の抵抗値をＲ６とすると、駆動信号Ｓ３Ａの非反転時の黒レベル電圧Ｖ１および反転時の黒レベル電圧Ｖ２は、概ね次式のように表される。
【０１００】
［数５］
Ｖ１＝（１＋Ｒ５／Ｒ６）×ＶＡ  …  （５）
Ｖ２＝（１＋Ｒ５／Ｒ６）×ＶＢ  …  （６）
【０１０１】
インピーダンス回路３１７の電圧−電流変換ゲインをＧｍｅ、カレントミラー回路４０５の入出力電流比をＭｅとすると、映像信号Ｓ４Ａと映像信号Ｓ３Ａとの電圧振幅比Ｇｖｅ（映像信号Ｓ３Ａ振幅÷映像信号Ｓ４Ａの振幅）は概ね次式のように表される。
【０１０２】
［数６］
Ｇｖｅ＝Ｇｍｅ×Ｍｅ×（Ｒ５＋Ｒ６）  …  （７）
【０１０３】
以上説明したように、本実施形態によれば、式（７）に示すように、インピーダンス回路３１７のゲインＧｍｅや、カレントミラー回路４０５の入出力電流比Ｍｅ、抵抗３１８および３１９の直列抵抗値（Ｒ５＋Ｒ６）を適切に設定することにより、表示部４２において表示装置の駆動に必要な電圧振幅を持つ駆動信号Ｓ３Ａを得ることができる。したがって、駆動信号の生成用に特別な電源を設けずに済むため、回路規模の増大を抑えることができる。
【０１０４】
また、式（５）および式（６）に示すように、駆動信号Ｓ３Ａの非反転時の黒レベル電圧Ｖ１および反転時の黒レベル電圧Ｖ２を、抵抗３１８および３１９の抵抗比に応じて設定することが可能であるため、例えば抵抗３１８および３１９を同一の半導体チップ上に形成する等により、駆動信号Ｓ３Ａの黒レベル電圧を高い精度で所望の電圧に調節することが可能である。
【０１０５】
その他、アナログ信号処理部３４と表示部４２との間における映像信号の伝送に電流信号を用いる点については、既に述べた第１の実施形態と同様であり、これと同様な効果を奏することが可能である。
【０１０６】
ところで、上述したアナログ信号処理部３４および表示部４２においては交流駆動型の表示装置が駆動されるが、直流駆動型の表示装置を駆動する場合は、これらの代わりとして、例えば図１０（Ａ）に示すアナログ信号処理部３５および表示部４３を設けても良い。
【０１０７】
図１０（Ａ）に例示するアナログ信号処理部３５は、アナログ信号処理回路３０１と、非反転バッファ回路３０３と、クランプ回路３０９と、インピーダンス回路３２０と、抵抗３２１および３２２の直列回路とを有する。ただし、図８と図１０の同一符号（３０１、３０３、３０９、４３）は同一の構成要素を示す。
インピーダンス回路３２０は、本発明のインピーダンス回路の一実施形態である。
カレントミラー回路４０６ならびに抵抗３２１および３２２の直列回路を含む回路は、本発明の電流電圧変換回路の一実施形態である。
【０１０８】
インピーダンス回路３２０は、映像信号Ｓ３の出力端子とグランド線Ｇとの間に接続されており、非反転バッファ回路３０３より入力される映像信号Ｓ４Ｂに応じて、そのインピーダンスを変化させる。映像信号Ｓ３の電流Ｉは、インピーダンス回路３２０のインピーダンスに応じて変化する。
インピーダンス回路３２０は、例えば図３に示すインピーダンス回路３０８と同様な構成を有する。
【０１０９】
クランプ回路３０９は、クランプパルス信号ＣＰ３がハイレベルの場合、抵抗３２１および３２２の直列回路より出力される帰還信号と基準電圧ＶＣとの電圧差が小さくなるように、インピーダンス回路３２０の入力映像信号Ｓ４Ｂの電圧を調節する。
【０１１０】
カレントミラー回路４０６は、表示部４３の電源電圧ラインから映像信号Ｓ３の出力端子を経てインピーダンス回路３２０に流れる電流Ｉに応じた電流を出力する。
【０１１１】
抵抗３２１および３２２は、カレントミラー回路４０６の電流出力端子とグランド線Ｇとの間に直列に接続されており、カレントミラー回路４０６カレントミラー回路４０６の出力電流に応じた電圧を発生する。
抵抗３２１および３２２の直列回路の両端に発生する信号は、表示部４３の図示しない表示装置に駆動信号Ｓ３Ｂとして供給される。また、抵抗３２１および３２２の接続中点に発生する駆動信号Ｓ３Ｂの分圧信号は、クランプ回路３０９に帰還信号として入力される。
ただし、抵抗３２１および３２２の抵抗値の比は、帰還信号の電圧振幅がアナログ信号処理部３５の電源電圧より小さくなるように設定される。
【０１１２】
上述した構成によると、アナログ信号処理回路３０１において所定のアナログ信号処理を施された映像信号は、非反転バッファ回路３０３を介してインピーダンス回路３２０に入力される。この入力映像信号Ｓ４Ｂに応じてインピーダンス回路３２０のインピーダンスが変化すると、該インピーダンス変化に応じて、カレントミラー回路４０６の入力電流および出力電流が変化し、該出力電流変化に応じて、抵抗３２１および３２２の直列回路に発生する駆動信号Ｓ３Ｂおよび帰還信号も変化する。
【０１１３】
一方、クランプパルス信号ＣＰ３は、例えば図１０（Ｃ）に示すように、各水平期間において映像信号Ｓ２が黒レベルの基準電圧を有する期間にハイレベルになる信号である。
この期間において、クランプ回路３０９がクランプ動作を実行することにより、上述の帰還信号と基準電圧ＶＣとが等しくなるように、映像信号Ｓ４Ｂの電圧が調節される。
【０１１４】
抵抗３２１の抵抗値をＲ７、抵抗３２２の抵抗値をＲ８とすると、駆動信号Ｓ３Ｂの黒レベル電圧Ｖ３は概ね次式のように表される。
【０１１５】
［数７］
Ｖ３＝（１＋Ｒ７／Ｒ８）×ＶＣ  …  （８）
【０１１６】
また、インピーダンス回路３２０の電圧−電流変換ゲインをＧｍｆ、カレントミラー回路４０６の入出力電流比をＭｆとすると、映像信号Ｓ４Ｂと映像信号Ｓ３Ｂとの電圧振幅比Ｇｖf（映像信号Ｓ３Ｂ振幅÷映像信号Ｓ４Ｂの振幅）は概ね次式のように表される。
【０１１７】
［数８］
Ｇｖｆ＝Ｇｍｆ×Ｍｆ×（Ｒ７＋Ｒ８）  …  （９）
【０１１８】
したがって、直流駆動型の表示装置を駆動する場合においても、アナログ信号処理部３１の電源電圧より高電圧の電源を別に設けることなく、この電源電圧より電圧振幅が大きい表示装置の駆動信号を生成することが可能になり、回路規模の増大を抑えることが可能である。また、例えば抵抗３２１および３２２を同一の半導体チップ上に形成する等により、駆動信号Ｓ３Ｂの黒レベル電圧を高い精度で所望の電圧に調節することが可能である。
【０１１９】
なお、本発明は上述した実施形態に限定されるものではなく、種々の改変が可能である。
【０１２０】
例えば、上述した実施形態において、カレントミラー回路は表示部４０に含まれているが、これを表示装置と同一の基板内や同一の半導体チップ内に設けても良いし、それらの外部に外付けで設けても良い。
同様に、表示装置の駆動信号を発生する抵抗は、アナログ信号処理部もしくは表示部と同一の基板内や同一の半導体チップ内に設けても良いし、それらの外部に外付けで設けても良い。
【０１２１】
また、上述の実施形態において設けられているインピーダンス回路やカレントミラー回路等は、少なくとも上で述べた機能を果たすものであれば良く、その内部の構成は任意である。
【図面の簡単な説明】
【０１２２】
【図１】本発明の実施形態に係る撮影装置の構成の一例を図解したブロック図である。
【図２】第１の実施形態に係るアナログ信号処理部および表示部の構成の一例を示すブロック図と、その各部の信号波形図である。
【図３】図２に示すアナログ信号処理部におけるインピーダンス回路の構成例を示す図である。
【図４】アナログ信号処理部および表示部の配置の一例を図解した図である。
【図５】第１の実施形態に係るアナログ信号処理部および表示部の他の構成例を示すブロック図と、その各部の信号波形図である。
【図６】第２の実施形態に係るアナログ信号処理部および表示部の構成の一例を示すブロック図と、その各部の信号波形図である。
【図７】図６に示すアナログ信号処理部におけるインピーダンス回路の構成例を示す図である。
【図８】第２の実施形態に係るアナログ信号処理部および表示部の他の構成例を示すブロック図と、その各部の信号波形図である。
【図９】第３の実施形態に係るアナログ信号処理部および表示部の構成の一例を示すブロック図と、その各部の信号波形図である。
【図１０】第３の実施形態に係るアナログ信号処理部および表示部の他の構成例を示すブロック図と、その各部の信号波形図である。
【符号の説明】
【０１２３】
１０…撮像部、２０…デジタル信号処理部、３０…アナログ信号処理部、４０…表示部、５０…配線、６０…基板、３０１…アナログ信号処理回路、３０２…反転バッファ回路、３０３，３０５…非反転バッファ回路、３０４…スイッチ回路、３０６，３０７，３０９…クランプ回路、３０８，３１０，３１１，３１４，３１７，３２０…インピーダンス回路、４０１，４０３，４０５，４０６…カレントミラー回路、３１２，３１３，３１５，３１６，３１８，３１９，３２１，３２２，４０２，４０４…抵抗
【図１】
2005234020.tif 000003
【図２】
2005234020.tif 000004
【図３】
2005234020.tif 000005
【図４】
2005234020.tif 000006
【図５】
2005234020.tif 000007
【図６】
2005234020.tif 000008
【図７】
2005234020.tif 000009
【図８】
2005234020.tif 000010
【図９】
2005234020.tif 000011
【図１０】
2005234020.tif 000012